(57)【要約】【課題】  画像形成部の寿命を延ばしながらも、カラー／モノクロのモードの切替え時間を減少させることができる画像形成装置を提供する。【解決手段】  モノクロモードが選択されると、シアン、マゼンタ、イエローに対応する感光体の動作を停止させ、かつシアン、マゼンタ、イエローに対応するレーザダイオードの発光を停止させる。シアン、マゼンタ、イエローに対応するポリゴンミラーを駆動するモータは回転させておくことで（モノクロモードＢ〜Ｄ）、カラーモードへ切替わったときにも迅速に画像形成を行なうことができる。【選択図】        図７
2007010858.tif 000002
【特許請求の範囲】
【請求項１】
複数の感光体と、
複数の走査手段と、
前記走査手段を光路として前記感光体を露光する複数の露光手段と、
前記複数の感光体を動作させて画像形成を行う第１の画像形成モードと、前記複数の感光体のうちの一部の感光体を動作させて画像形成を行う第２の画像形成モードとのいずれかを設定する設定手段と、
前記設定された画像形成モードに応じて、前記露光手段の制御を行う露光制御手段とを備え、
前記第２の画像形成モードが設定されたとき、前記複数の走査手段を動作させ、前記露光制御手段は、前記複数の露光手段のうち、動作している感光体を露光する露光手段のみを動作させる、画像形成装置。
【請求項２】
前記設定された画像形成モードに応じて、前記走査手段の動作を制御する走査制御手段をさらに備え、
前記第２の画像形成モードが設定されたとき、前記走査制御手段は、前記複数の露光手段のうち、動作している露光手段の光路となっている走査手段と、光路となっていない走査手段の走査速度を異ならせる、請求項１に記載の画像形成装置。
【請求項３】
前記第２の画像形成モードによる画像形成の連続度合いを予測する予測手段をさらに備え、
前記予測手段の予測結果に基づき、前記走査手段の走査速度の差を変化させる、請求項２に記載の画像形成装置。
【請求項４】
前記設定された画像形成モードに応じて、前記走査手段の動作を制御する走査制御手段をさらに備え、
前記第２の画像形成モードが設定されたとき、前記走査制御手段は、前記複数の露光手段のうち、動作している露光手段の光路となっていない走査手段を停止させる、請求項１に記載の画像形成装置。
【請求項５】
前記画像形成モードが変化した時、前記走査手段の動作が安定するまで画像形成を停止させることを特徴とする、請求項１〜４のいずれかに記載の画像形成装置。
【請求項６】
複数の感光体と、
複数の走査手段と、
前記走査手段を光路として前記感光体を露光する複数の露光手段と、
前記複数の感光体を動作させて画像形成を行う第１の画像形成モードと、前記複数の感光体のうちの一部の感光体を動作させて画像形成を行う第２の画像形成モードとのいずれかを設定する設定手段と、
前記設定された画像形成モードに応じて、前記露光手段の制御を行う露光制御手段とを備えた画像形成装置の制御方法であって、
前記第２の画像形成モードが設定されたとき、前記複数の走査手段を動作させ、前記露光制御手段は、前記複数の露光手段のうち、動作している感光体を露光する露光手段のみを動作させる、画像形成装置の制御方法。
【発明の詳細な説明】
【技術分野】
【０００１】
この発明は画像形成装置、および画像形成装置の制御方法に関し、特に複数の画像形成部を動作させることによってカラー画像を印字することができる、プリンタや複写機などの画像形成装置、および画像形成装置の制御方法に関する。
【背景技術】
【０００２】
従来より、ＭＦＰ（Multi Function Peripheral）、複写機、プリンタなどの用紙に画像を形成する画像形成装置が知られている。
【０００３】
一般的に画像形成装置の画像形成部（感光体などを含む部材）には寿命があり、画像形成動作を繰り返すことで劣化が生じる。画像形成を行わずに、単に感光体の回転動作などを行なうだけでも劣化する場合が多い。
【０００４】
たとえば、感光体は電子写真方式の画像形成部の重要な構成部品であるが、画像形成時に転写部材へ転写しなかった余分なトナーをクリーニングするために、ブレード状のクリーニング部材を圧接することがある。このような圧接による感光体表面の劣化は、画像形成の量（たとえば出力枚数）よりも、感光体を回転駆動した量に対しての関係が強い。
【０００５】
このため、カラーの画像形成装置において、従来よりＣＭＹＫ（シアン、マゼンタ、イエロー、ブラック）すべての画像形成部を動作させてフルカラーの印字を行なうモードと、Ｋの画像形成部のみを動作させて黒単色印字(モノクロ印字)を行なうモードを備えることで、黒単色の印字におけるＣＭＹの画像形成部の劣化を防止することが行われている。
【０００６】
さらに、下記特許文献１においては、フルカラーとモノクロモードを切り替える際に必要な画像形成部の前処理や後処理に必要なロス時間も考慮し、どちらのモードで印字するのが経済的かを判断しながら印字を行なう技術などが提案されている。
【特許文献１】特開２０００−２９２６６号公報
【発明の開示】
【発明が解決しようとする課題】
【０００７】
前述したように、すべての画像形成部を動作させる必要の無い印字モードでは、不要な画像形成部の動作を停止させることで、画像形成部の不要な劣化を防止することができる。また、印字モードを切り替える際に生じるロス時間の影響を減少させることも可能となっている。
【０００８】
しかしながら従来の技術では、モードの切替え時間そのものを減少させることができないという問題があった。
【０００９】
この発明は上記問題点を解決するためになされたものであり、画像形成部の寿命を延ばしながらも、モードの切替え時間を減少させることができる画像形成装置、および画像形成装置の制御方法を提供する事を目的としている。
【課題を解決するための手段】
【００１０】
上記目的を達成するためこの発明のある局面に従うと、画像形成装置は、複数の感光体と、複数の走査手段と、走査手段を光路として感光体を露光する複数の露光手段と、複数の感光体を動作させて画像形成を行う第１の画像形成モードと、複数の感光体のうちの一部の感光体を動作させて画像形成を行う第２の画像形成モードとのいずれかを設定する設定手段と、設定された画像形成モードに応じて、露光手段の制御を行う露光制御手段とを備え、第２の画像形成モードが設定されたとき、複数の走査手段を動作させ、露光制御手段は、複数の露光手段のうち、動作している感光体を露光する露光手段のみを動作させる。
【００１１】
好ましくは画像形成装置は、設定された画像形成モードに応じて、走査手段の動作を制御する走査制御手段をさらに備え、第２の画像形成モードが設定されたとき、走査制御手段は、複数の露光手段のうち、動作している露光手段の光路となっている走査手段と、光路となっていない走査手段の走査速度を異ならせる。
【００１２】
好ましくは画像形成装置は、第２の画像形成モードによる画像形成の連続度合いを予測する予測手段をさらに備え、予測手段の予測結果に基づき、走査手段の走査速度の差を変化させる。
【００１３】
好ましくは画像形成装置は、設定された画像形成モードに応じて、走査手段の動作を制御する走査制御手段をさらに備え、第２の画像形成モードが設定されたとき、走査制御手段は、複数の露光手段のうち、動作している露光手段の光路となっていない走査手段を停止させる。
【００１４】
好ましくは画像形成装置は、画像形成モードが変化した時、走査手段の動作が安定するまで画像形成を停止させることを特徴とする。
【００１５】
この発明の他の局面に従うと、画像形成装置の制御方法は、複数の感光体と、複数の走査手段と、走査手段を光路として感光体を露光する複数の露光手段と、複数の感光体を動作させて画像形成を行う第１の画像形成モードと、複数の感光体のうちの一部の感光体を動作させて画像形成を行う第２の画像形成モードとのいずれかを設定する設定手段と、設定された画像形成モードに応じて、露光手段の制御を行う露光制御手段とを備えた画像形成装置の制御方法であって、第２の画像形成モードが設定されたとき、複数の走査手段を動作させ、露光制御手段は、複数の露光手段のうち、動作している感光体を露光する露光手段のみを動作させる。
【発明の効果】
【００１６】
これら発明に従うと、複数の感光体のうちの一部の感光体を動作させて画像形成を行う第２の画像形成モードが設定されたとき、複数の走査手段を動作させ、露光制御手段は、複数の露光手段のうち、動作している感光体を露光する露光手段のみを動作させるため、画像形成部の寿命を延ばしながらも、モードの切替え時間を減少させることができる画像形成装置、および画像形成装置の制御方法を提供する事が可能である。
【発明を実施するための最良の形態】
【００１７】
以下、本発明の実施の形態における画像形成装置について図面を参照しながら説明する。
【００１８】
本発明の実施の形態における画像形成装置は、複数（例えばＣＭＹＫ）の感光体をすべて駆動して画像形成を行なうモードと、一部（例えばＫのみ）の感光体を駆動して画像形成を行なうモードとを有する画像形成装置である。前者をカラーモードと呼び、後者をモノクロモードと呼ぶ。
【００１９】
画像形成装置の画像形成部は、複数のカラー画像を形成する複数の感光体と、複数の感光体のそれぞれを走査する複数のポリゴンミラーと、複数のポリゴンミラーのそれぞれを駆動する複数のポリゴンモータと、複数のポリゴンミラーにレーザー光を照射することで、ポリゴンミラーを光路として感光体を露光する複数のレーザーダイオードとを備えている。
【００２０】
一部の感光体を駆動して画像形成をしているモードでは、感光体を駆動していない色に対応するポリゴンモータも駆動させる。感光体を駆動していない色に対応するポリゴンモータを駆動している場合、その感光体を露光するためのレーザーは発光させない（バイアス発光もさせない）。
【００２１】
すなわち、従来の技術ではポリゴンミラーが動作している間は、露光部であるレーザーダイオードを微小な出力で発光（バイアス発光）させているが、この実施の形態では、停止している感光体にレーザー光が照射されないように発光を停止させるものである。
【００２２】
このような構成により、感光体が動作していない色の走査部であるポリゴンミラーの速度を、感光体が動作している色のポリゴンミラーの走査速度と同じに保つことができる。
【００２３】
また、感光体が動作していない色のポリゴンミラーの速度を、感光体が動作している色のポリゴンミラーの走査速度とは異なる、待機用の走査速度に保つこととしてもよい。
【００２４】
このようにポリゴンミラーを常に回転させておくことにより、モノクロモードからカラーモードに切替わっても、すぐに画像形成を行なうことが可能となる。すなわち、ポリゴンミラーを停止させておくと、モノクロモードからカラーモードに切替わったときにポリゴンミラーの回転を開始する必要があり、回転が安定するまでに時間を要するが、本実施の形態においてはそのような問題点を解消することができる。
【００２５】
ポリゴンミラー、ポリゴンモータの寿命は、一般的に走査動作の起動回数と軸受けなどの稼動部の累積回転数（回転回数）によって決まる。起動回数と回転数のどちらが支配的になるかは、部品の仕様と、装置の動作モードとによって決まる。比較的連続印字動作が多い装置の場合は、起動回数よりも回転数の方が支配的になるので、単色モード時に使用しない画像形成部の走査部の走査速度を低下させることで、走査部の寿命に対する影響を少なくしつつ、切替え時間の短縮化を図ることができる。
【００２６】
逆に、間欠動作が多い装置の場合は、走査部の起動回数が支配的になるため、使用しない画像形成部の走査部を使用中と同じ状態で動作維持させることで、寿命への影響を低減しつつ切替え時間の短縮化を図ることができる。
【００２７】
図１は、本発明の実施の形態における画像形成装置の断面図である。
この画像形成装置は、シアン（Ｃ）、マゼンタ（Ｍ）、イエロー（Ｙ）、およびブラック（Ｋ）の４色の画像形成部を有している。
【００２８】
各色の画像形成部は、それぞれ感光体２００Ｙ，２００Ｍ，２００Ｃ，２００Ｋを有し、さらに感光体にレーザービームで露光を行なう露光部と、露光部からのレーザービームをポリゴンミラーで走査露光するための走査部とをそれぞれ備えるプリントヘッド１００Ｙ，１００Ｍ，１００Ｃ，１００Ｋを有している。
【００２９】
露光部と走査部はプリントヘッドとして一体に構成されており、シアン、マゼンタ、イエロー、ブラックの４色分配置されている。図１においては、プリントヘッド１００Ｙ，１００Ｍ，１００Ｃ，１００Ｋを総称して、プリントヘッド１００と呼び、感光体２００Ｙ，２００Ｍ，２００Ｃ，２００Ｋを総称して感光体２００と呼んでいる。
【００３０】
また、画像形成装置には、各色の画像形成部に共通して用いられる、中間転写ベルト３００が設けられている。
【００３１】
さらに、画像形成装置には、原稿画像の読取りを行なうためのスキャナ４０７と、用紙の給紙を行なうための給紙カセット４０１と、手差しトレイ４０３と、両面印刷を行なう時に用紙を反転させる両面ユニット４０５と、用紙にパンチ穴を形成するパンチユニット４０９およびパンチ屑ボックス４１１と、用紙を折る処理を行なう折りユニット４１３と、用紙にステープル処理を行なうステープラー４１５とが備えられている。
【００３２】
図２は、プリントヘッド１００Ｙと感光体２００Ｙの構成を示す図である。
図を参照して、プリントヘッドは２ライン分の画像を形成するための、２つのレーザーダイオード１０３ａ，１０３ｂ（これらを総称して、レーザーダイオード１０３Ｙという。）と、レンズ１０５ａ〜１０５ｄと、図示しないポリゴンモータによって回転させられるポリゴンミラー１０１Ｙと、画像を出力する基準位置を示すＳＯＳ（Start Of Scan）信号を出力するための、ＳＯＳセンサ１０７と、ミラー１０９ａ，１０９ｂとを備えている。これらの機構により、レーザーダイオード１０３Ｙからのレーザーがポリゴンミラー１０１Ｙにより走査され、感光体２００Ｙに達する。
【００３３】
なお、プリントヘッド１００Ｍ，１００Ｃ，１００Ｋ、および感光体２００Ｍ，２００Ｃ，２００Ｋの構成も、図２と同様であるため、ここでの説明を繰返さない。
【００３４】
図３は、図１の画像形成装置の一部断面図である。
この図では、シアン、マゼンタ、イエロー、ブラックの４色の画像形成部付近を拡大して示しており、カラーモードで動作中の状態を示している。
【００３５】
中間転写ベルト３００に２次転写ローラ３０１が接しており、各感光体２００Ｙ，２００Ｍ，２００Ｃ，２００Ｋには、現像器２０１Ｙ，２０１Ｍ，２０１Ｃ，２０１Ｋと、帯電チャージャー２０３Ｙ，２０３Ｍ，２０３Ｃ，２０３Ｋと、クリーナー２０５Ｙ，２０５Ｍ，２０５Ｃ，２０５Ｋとが接している。
【００３６】
中間転写ベルト３００に対向して配置された各色の感光体２００Ｙ，２００Ｍ，２００Ｃ，２００Ｋと中間転写ベルト３００とは駆動された状態にあり、感光体２００Ｙ，２００Ｍ，２００Ｃ，２００Ｋと中間転写ベルト３００とは、略接触状態にある。各感光体に対して、帯電チャージャー２０３Ｙ，２０３Ｍ，２０３Ｃ，２０３Ｋ、現像器２０１Ｙ，２０１Ｍ，２０１Ｃ，２０１Ｋ、クリーナー２０３Ｙ，２０３Ｍ，２０３Ｃ，２０３Ｋなども、それぞれ所定の動作状態にある。
【００３７】
図４は、図１の画像形成装置の一部断面図である。
この図では、シアン、マゼンタ、イエロー、ブラックの４色の画像形成部付近を拡大して示しており、モノクロモードで動作中の状態を示している。
【００３８】
中間転写ベルト３００に対向して配置された、ブラックの感光体２００Ｋと中間転写ベルト３００とは駆動された状態にあり、ブラックの感光体２００Ｋと中間転写ベルト３００は、略接触状態にある。
【００３９】
ブラック以外の感光体２００Ｙ，２００Ｍ，２００Ｃは停止状態にあり、中間転写ベルト３００が上方に退避することで、停止しているブラック以外の感光体２００Ｙ，２００Ｍ，２００Ｃと中間転写ベルト３００とがこすれあうことが防止される。これにより、感光体２００Ｙ，２００Ｍ，２００Ｃの寿命を延ばすことができる。
【００４０】
ブラック感光体２００Ｋに配置された帯電チャージャー２０３Ｋ、現像器２０１Ｋ、クリーナー２０５Ｋなどは、それぞれ所定の動作状態にあり、ブラック以外の感光体２００Ｙ，２００Ｍ，２００Ｃに配置された帯電チャージャー２０３Ｙ，２０３Ｍ，２０３Ｃ、現像器２０１Ｙ，２０１Ｍ，２０１Ｃ、クリーナー２０５Ｙ，２０５Ｍ，２０５Ｃなどは停止している。
【００４１】
図５は、画像形成装置の備える操作パネルの基本画面を示す図である。
図を参照して操作パネルの基本画面は、左に「カラー／モノクロ切換え」キーが表示される。このボタンを押下することで、カラーモード、モノクロモード、オートモード（自動で原稿の種類を判別し、カラー／モノクロを切替えるモード）が設定される。
【００４２】
また、走査パネルの基本画面には、用紙を選択するためのボタン、倍率をセットするためのボタン、片面／両面コピーを選択するためのボタン、テンキー、コピースタートキー、ストップキーなどが配置される。
【００４３】
図６は、画像形成装置の構成を示すブロック図である。
図を参照して画像形成装置は、装置の全体を制御するためのＣＰＵ５０１と、プログラムや定数などを記憶するＲＯＭ５０７と、プログラム実行時のワークエリアとして機能するＲＡＭ５０９と、インタフェース制御部５１１と、拡張Ｉ／Ｏ５１３とを備えている。
【００４４】
インタフェース制御部５１１には、排紙装置５１５と、画像処理コントローラ５２５とが接続される。
【００４５】
画像処理コントローラ５２５には、コンピュータなどの外部機器５１９や、ＦＡＸ回線５２１や、スキャナ装置５２３が接続され、これら装置からの信号が入力される。画像処理コントローラ５２５には、操作パネルに含まれるＬＣＤなどの制御を行なうＬＣＤコントローラ５０３と、テンキー、モード切替キーなどからの入力の制御を行なうキーボードコントローラ５０５とが接続される。また、画像処理コントローラ５２５および拡張Ｉ／Ｏ５１３に対してレーザーダイオード１０３Ｙ，１０３Ｍ，１０３Ｃ，１０３Ｋが接続される。図２に示されるように、各レーザーダイオード１０３Ｙ，１０３Ｍ，１０３Ｃ，１０３Ｋには、２ライン分の画像を形成するための２つのレーザーダイオードが含まれるため、拡張Ｉ／Ｏ５１３からレーザーダイオード１０３Ｙ，１０３Ｍ，１０３Ｃ，１０３Ｋには、８つのダイオードに対応した発光制御信号が入力され、画像処理コントローラ５２５からレーザーダイオード１０３Ｙ，１０３Ｍ，１０３Ｃ，１０３Ｋには、８つのダイオードに対応した画像データが入力される。これに応じて、各ダイオードは発光を行ない、感光体に画像を形成する。
【００４６】
また、拡張Ｉ／Ｏ５１３には、各種センサ５１７からの信号が入力される。拡張Ｉ／Ｏ５１３は、各種モータ、各種ソレノイド、各種クラッチ、各種高圧電源、および各種リレー５２７や、感光体を駆動するための感光体モータ５２９に接続される。
【００４７】
さらに拡張Ｉ／Ｏ５１３は、ポリゴンモータ１０５Ｙ，１０５Ｍ，１０５Ｃ，１０５Ｋに接続される。これにより、ポリゴンモータ１０５Ｙ，１０５Ｍ，１０５Ｃ，１０５Ｋの駆動制御が行なわれる。
【００４８】
図７は、画像形成部のモードに対応した各部材の制御方法を示す表（テーブル）である。
【００４９】
画像形成装置の動作モード（カラーモード・モノクロモード）に応じて、図に示される制御方法が選択され、各動作モードにおける走査部と露光部の動作状態が決定される。モノクロモードとして、Ｂ〜Ｅの４種類を採用することが可能であり、これはユーザ設定により選択される。または、Ｂ〜Ｅのいずれかのモードをモノクロモード時のモードとして装置に固定的に備えさせるようにしても良い。
【００５０】
ここでは、「カラーモード」と「モノクロモードＢ」が選択される場合について説明する。すなわち、モノクロモードが選択された場合には、図７の「モノクロモードＢ」に示される制御が行なわれる。
【００５１】
図８は、画像形成装置の基本動作を示すフローチャートである。
図を参照して、ステップＳ１０１で初期動作を行なう。ステップＳ１０３で入力ポートの読込み処理を行なう。ステップＳ１０５で受信されたデータの解析処理を行なう。
【００５２】
ステップＳ１０７で印字要求があったかが判定され、ＹＥＳであればステップＳ１０９で印字モード（カラーモードか、モノクロモードか）を判断する処理を行なう。この処理については後述する。
【００５３】
ステップＳ１１１で、モードに応じて走査部を制御する処理が行なわれる。ステップＳ１１３でモードに応じて露光部を制御する処理が行なわれる。これらの処理についても後述する。
【００５４】
ステップＳ１１５でその他の画像形成部の制御を行ない、ステップＳ１１７で画像形成部で一時待機を行なうか（ウェイト状態とするか）の判定を行なう。ここでは、走査部の制御、およびその他の画像形成部の制御のいずれかがウェイト状態となると、ウェイト状態を設定する。
【００５５】
ウェイト条件が無ければ、ステップＳ１１９でジャム（ＪＡＭ）が発生したかを判定し、ＮＯであればステップＳ１２１で印字禁止フラグがセットされているかを判定する。
【００５６】
ステップＳ１２１でＮＯであれば、ステップＳ１２３でその他の印字禁止フラグがセットされているかを判定し、ＮＯであればステップＳ１２５で印字動作を行なう。
【００５７】
その後、ステップＳ１２７でジャム検出および解除処理を行ない、ステップＳ１２９でその他の処理を行なう。さらに、ステップＳ１３１で出力ポート設定処理を行ない、ステップＳ１０３からの処理を行なう。
【００５８】
なお、ステップＳ１０７でＮＯ、またはステップＳ１１７でウェイト条件があれば、そのままステップＳ１２７へ進む。
【００５９】
また、ステップＳ１１９、ステップＳ１２１、およびステップＳ１２３のいずれかでＹＥＳであれば、ステップＳ１２７へ進む。
【００６０】
図９は、図８の印字モード判断処理（Ｓ１０９）のフローチャートである。
図を参照して、ステップＳ２０１において画像形成装置に設定されているのがカラーモード（第１の画像形成モード）であるか、モノクロモード（第２の画像形成モード）であるか判定する。
【００６１】
カラーモードであれば、ステップＳ２０３で走査部の制御としてカラーモードを要求し、ステップＳ２０５で露光部の制御としてカラーモードを要求し、ステップＳ２０７でその他の画像形成部の制御としてカラーモードを要求する。
【００６２】
一方、ステップＳ２０１でモノクロモードが設定されていると判定されると、ステップＳ２０９で走査部の制御としてモノクロモードＢを要求し、ステップＳ２１１で露光部の制御としてモノクロモードＢを要求し、ステップＳ２１３でその他の画像形成部の制御としてモノクロモードＢを要求する。
【００６３】
図１０は、図８の走査部制御処理（Ｓ１１１）のフローチャートである。
図を参照して、ステップＳ３０１において走査部の制御として要求されたモードが現在のモードと異なるかを判定する。ＹＥＳであれば、ステップＳ３０３で走査制御のウェイト状態をセットし、ステップＳ３０５で要求されたモードを判定し、ステップＳ３０７で図７のテーブルに従い、各ポリゴンモータを制御する。
【００６４】
すなわち、ここではカラーモードが設定されると全ての色のポリゴンモータを回転させた状態で、全ての色のレーザーダイオードを使用するために発光させる。一方、モノクロモード（モノクロモードＢ）が設定されると、全ての色のポリゴンモータを回転させた状態とするが、ブラックに対応するレーザーダイオードのみを使用するために発光させ、他のダイオードは発光させない（バイアス発光すら停止する）。
【００６５】
また、ステップＳ３０１でＮＯであれば、ステップＳ３０９へ移り、印字に使用するポリゴンモータの回転が安定状態となっているかを判定する。ＹＥＳであれば、ステップＳ３１１で走査制御のウェイト状態をリセットする。
【００６６】
図１１は、図８の露光部制御処理（Ｓ１１３）のフローチャートである。
図を参照して、ステップＳ４０１において露光部の制御として要求されたモードが現在のモードと異なるかを判定する。ＹＥＳであれば、ステップＳ４０３で露光制御のウェイト状態をセットし、ステップＳ４０５で要求されたモードを判定し、ステップＳ４０７で図７のテーブルに従い、各レーザーダイオードを制御する。
【００６７】
すなわち、ここではカラーモードが設定されると全ての色のポリゴンモータを回転させた状態で、全ての色のレーザーダイオードを使用するために発光させる。一方、モノクロモード（モノクロモードＢ）が設定されると、全ての色のポリゴンモータを回転させた状態とするが、ブラックに対応するレーザーダイオードのみを使用するために発光させ、他のダイオードは発光させない（バイアス発光すら停止する）。
【００６８】
また、ステップＳ４０１でＮＯであれば、ステップＳ４０９へ移り、印字に使用するレーザーダイオードが安定状態となっているかを判定する。ＹＥＳであれば、ステップＳ４１１で露光制御のウェイト状態をリセットする。
【００６９】
以上のように、本実施の形態では、モノクロモードにおいてもポリゴンミラーを停止させないため、カラーモードとモノクロモードの切替え時間を短くすることができ、使用者の利便性を高めることができる。さらに画像形成部の寿命を長くすることができるという効果がある。
【００７０】
［変形例１］
図１２は、図８の印字モード判断処理（Ｓ１０９）の第１の変形例を示すフローチャートである。
【００７１】
図を参照して、ステップＳ５０１において画像形成装置に設定されているのがカラーモード（第１の画像形成モード）であるか、モノクロモード（第２の画像形成モード）であるか判定する。
【００７２】
カラーモードであれば、ステップＳ５０３で走査部の制御としてカラーモードを要求し、ステップＳ５０５で露光部の制御としてカラーモードを要求し、ステップＳ５０７でその他の画像形成部の制御としてカラーモードを要求する。
【００７３】
一方、ステップＳ５０１でモノクロモードが設定されていると判定されると、ステップＳ５０９で走査部の制御としてモノクロモードＣを要求し、ステップＳ５１１で露光部の制御としてモノクロモードＣを要求し、ステップＳ５１３でその他の画像形成部の制御としてモノクロモードＣを要求する。
【００７４】
走査部、露光部は図７のテーブルに従い、各ポリゴンモータ、各レーザーダイオードを制御する。
【００７５】
すなわち、ここではカラーモードが設定されると全ての色のポリゴンモータを回転させた状態で、全ての色のレーザーダイオードを使用するために発光させる。一方、モノクロモード（モノクロモードＣ）が設定されると、ブラックに対応するポリゴンモータを通常速度で回転させた状態とするが、その他の色に対応するポリゴンモータの回転数を遅くする（減速回転１）。また、ブラックに対応するレーザーダイオードのみを使用するために発光させ、他のダイオードは発光させない（バイアス発光すら停止する）。
【００７６】
以上のように、本変形例においても、モノクロモードにおいてもポリゴンミラーを停止させないため、カラーモードとモノクロモードの切替え時間を短くすることができ、使用者の利便性を高めることができる。さらに画像形成部の寿命を長くすることができるという効果がある。
【００７７】
［変形例２］
図１３は、図８の印字モード判断処理（Ｓ１０９）の第２の変形例を示すフローチャートである。
【００７８】
図を参照して、ステップＳ６０１において画像形成装置に設定されているのがカラーモード（第１の画像形成モード）であるか、モノクロモード（第２の画像形成モード）であるか判定する。
【００７９】
カラーモードであれば、ステップＳ６０３で走査部の制御としてカラーモードを要求し、ステップＳ６０５で露光部の制御としてカラーモードを要求し、ステップＳ６０７でその他の画像形成部の制御としてカラーモードを要求する。
【００８０】
一方、ステップＳ６０１でモノクロモードが設定されていると判定されると、ステップＳ６０９で、将来モノクロモードにおいて連続して処理すると考えられる枚数を予測する。この予測枚数をＸとする。ここで、予測枚数に応じて処理を切替えるためのしきい値としてＡ、Ｂ、およびＣを装置に予め設定しておく（Ａ＜Ｂ＜Ｃとする）。これは、将来モノクロモードがどれだけ続くかを予測することにより、使用しない色に対するポリゴンモータの回転速度を変化させるものである。すなわち、将来モノクロモードが長く続くと予測されるのであれば、使用しない色に対するポリゴンモータの回転速度をより遅くし、逆にモノクロモードがすぐに終了すると予測されるのであれば、使用しない色に対するポリゴンモータの回転速度を通常時と同様の速度に保つものである。また、ここでは予測枚数ＸがＣ以上であれば、使用しない色に対するポリゴンモータを停止させることとしている。
【００８１】
ステップＳ６０９での処理でＸ＜Ａの関係が成立すると判定されると、ステップＳ６１１で走査部の制御としてモノクロモードＢを要求し、ステップＳ６１３で露光部の制御としてモノクロモードＢを要求し、ステップＳ６１５でその他の画像形成部の制御としてモノクロモードＢを要求する。
【００８２】
ステップＳ６０９でＮＯであり、ステップＳ６１７でＡ≦Ｘ＜Ｂの関係が成立すると判定されると、ステップＳ６１９で走査部の制御としてモノクロモードＣを要求し、ステップＳ６２１で露光部の制御としてモノクロモードＣを要求し、ステップＳ６２３でその他の画像形成部の制御としてモノクロモードＣを要求する。
【００８３】
ステップＳ６１７でＮＯであり、ステップＳ６２５でＢ≦Ｘ＜Ｃの関係が成立すると判定されると、ステップＳ６２７で走査部の制御としてモノクロモードＤを要求し、ステップＳ６２９で露光部の制御としてモノクロモードＤを要求し、ステップＳ６３１でその他の画像形成部の制御としてモノクロモードＤを要求する。
【００８４】
ステップＳ６２５でＮＯであると判定されると、ステップＳ６３３で走査部の制御としてモノクロモードＥを要求し、ステップＳ６３５で露光部の制御としてモノクロモードＥを要求し、ステップＳ６３７でその他の画像形成部の制御としてモノクロモードＥを要求する。
【００８５】
走査部、露光部は図７のテーブルに従い、各ポリゴンモータ、各レーザーダイオードを制御する。
【００８６】
なお、図７において、減速回転１の回転速度は、減速回転２の回転速度よりも早いものとする。
【００８７】
すなわち、ここではカラーモードが設定されると全ての色のポリゴンモータを回転させた状態で、全ての色のレーザーダイオードを使用するために発光させる。一方、モノクロモードが設定されると、ブラックに対応するポリゴンモータを通常速度で回転させた状態とするが、その他の色に対応するポリゴンモータの回転は、モノクロモードＣ〜Ｅに合わせて変化させる。また、ブラックに対応するレーザーダイオードのみを使用するために発光させ、他のダイオードは発光させない（バイアス発光すら停止する）。
【００８８】
以上のように、本変形例においてはモノクロモードにおいては、将来モノクロモードが連続する枚数を予測し、それに応じてポリゴンモータなどの制御方法を変えることができるため、カラーモードとモノクロモードの切替え時間を短くすることができ、使用者の利便性を高めることができるという効果がある。さらに画像形成部の寿命を長くすることができるという効果がある。
【００８９】
なお、モノクロモードにおいて連続すると考えられる枚数の予測は以下のように行なうことができる。
【００９０】
すなわち、例えばコピー動作を行なう場合、不図示の自動原稿送り装置（ＡＤＦ）に積載された複数枚の原稿を自動的にスキャナ装置５２３（図６）で読取る処理が行なわれる。スキャナで読取られた画像データは、画像形成装置に送られる。画像処理装置の画像処理コントローラ５２５は、スキャナ装置５２３からのＲＧＢ信号をＣＭＹＫデータに変換したり、原稿がカラーであるかモノクロであるかを判定しながら、メモリに画像データを収納する（これらデータ変換や、カラー／モノクロの判定処理としては、例えば特開２００１−６９８４２号公報の技術を採用することができる）。
【００９１】
画像形成装置は、原稿を読取るごとに原稿に対応した原稿情報をメモリ上に作成する。原稿情報は、原稿のＩＤ番号、原稿がカラーかモノクロかの情報、原稿画像を印刷する部数、原稿のサイズなどから構成される。原稿情報が作成されると、直ちに原稿／用紙の対応情報（以下、用紙情報という。）が作成される。用紙情報は、印字用紙１枚ごとに作成される。
【００９２】
部数が２枚で設定されている場合は、１つの原稿情報に対して２つの用紙情報が作成される。用紙情報は用紙のＩＤ、対応する原稿のＩＤ、カラーモード、用紙のサイズなどから構成される。
【００９３】
印字が行なわれるごとに、印字が終了した用紙情報は削除される。対応する用紙情報が削除されると、原稿情報が削除される。原稿のスキャンと印字は非同期で行なわれているため、記憶されている用紙情報は増減する。
【００９４】
モノクロ印字が連続する枚数を取得するためには、現在印字している用紙情報以降の用紙情報をサーチし、カラーモードの用紙情報が出現するまでの用紙情報の数を計測することで予測枚数Ｘを得ることができる。
【００９５】
なお、実際には用紙がなくなり装置が停止したり、優先順位の高い印字が割り込んだりして、モノクロの連続枚数が急激に増減することがあるが、稀なケースであるので実用上問題の無い予測をすることができる。
【００９６】
［変形例３］
図１４は、図１の画像形成装置の変形例を示す図である。
【００９７】
画像形成装置は図１の画像形成装置と同様に、シアン、マゼンタ、イエロー、ブラックの４色の画像形成部を有している。各色の画像形成部は、それぞれ感光体２００Ｙ，２００Ｍ，２００Ｃ，２００Ｋを有している。さらに感光体２００Ｙ，２００Ｍ，２００Ｃ，２００Ｋにレーザービームで露光を行なう露光部も各色分それぞれ有している。走査部はブラックとシアン、マゼンタとイエローで共用している。
【００９８】
イエローおよびマゼンタの２色分の露光部と２色分の走査部は、プリントヘッド１００Ｙ，Ｍとして一体に構成されており、シアンおよびブラックの２色分の露光部と２色分の走査部は、プリントヘッド１００Ｃ，Ｋとして一体に構成されている。すなわち、プリントヘッドは２組配置されている。
【００９９】
図１５は、画像形成部のモードに対応した各部材の制御方法を示す表（テーブル）である。
【０１００】
画像形成装置の動作モード（カラーモード・モノクロモード）に応じて、図に示される制御方法が選択され、各動作モードにおける走査部と露光部の動作状態が決定される。モノクロモードとして、Ｂ〜Ｅの４種類を採用することが可能であり、これはユーザ設定により選択される。または、Ｂ〜Ｅのいずれかのモードをモノクロモード時のモードとして装置に固定的に備えさせるようにしても良い。
【０１０１】
各モードの選択の方法は、上記実施の形態や変形例と同様である。基本的な考え方としては、カラーモードが設定されると全ての色のポリゴンモータを回転させた状態で、全ての色のレーザーダイオードを使用するために発光させる。一方、モノクロモードＢ〜Ｄが設定されると、全ての色のポリゴンモータを回転させた状態とするが、ブラックに対応するレーザーダイオードのみを使用するために発光させ、他のダイオードは発光させない（バイアス発光すら停止する）。
【０１０２】
また、モノクロモードＣ、Ｄと進むにつれて使用しない色のポリゴンモータの回転速度を遅くし、モノクロモードＥでは使用しない色のポリゴンモータの回転を停止する。
【０１０３】
［変形例４］
図１６は、図１の画像形成装置の変形例を示す図である。
【０１０４】
画像形成装置は図１の画像形成装置と同様に、シアン、マゼンタ、イエロー、ブラックの４色の画像形成部を有している。各色の画像形成部は、それぞれ感光体２００Ｙ，２００Ｍ，２００Ｃ，２００Ｋを有している。さらに感光体２００Ｙ，２００Ｍ，２００Ｃ，２００Ｋにレーザービームで露光を行なう露光部も各色分それぞれ有している。走査部はブラック用と、シアン、マゼンタおよびイエロー用の２つが備えられている。
【０１０５】
イエロー、マゼンタおよびシアンの３色分の露光部と３色分の走査部は、プリントヘッド１００Ｙ，Ｍ，Ｃとして一体に構成されており、ブラックの１色分の露光部と１色分の走査部は、プリントヘッド１００Ｋとして構成されている。すなわち、プリントヘッドは２組配置されている。
【０１０６】
図１７は、画像形成部のモードに対応した各部材の制御方法を示す表（テーブル）である。
【０１０７】
画像形成装置の動作モード（カラーモード・モノクロモード）に応じて、図に示される制御方法が選択され、各動作モードにおける走査部と露光部の動作状態が決定される。モノクロモードとして、Ｂ〜Ｅの４種類を採用することが可能であり、これはユーザ設定により選択される。または、Ｂ〜Ｅのいずれかのモードをモノクロモード時のモードとして装置に固定的に備えさせるようにしても良い。
【０１０８】
各モードの選択の方法は、上記実施の形態や変形例と同様である。基本的な考え方としては、カラーモードが設定されると全ての色のポリゴンモータを回転させた状態で、全ての色のレーザーダイオードを使用するために発光させる。一方、モノクロモードＢ〜Ｄが設定されると、全ての色のポリゴンモータを回転させた状態とするが、ブラックに対応するレーザーダイオードのみを使用するために発光させ、他のダイオードは発光させない（バイアス発光すら停止する）。
【０１０９】
また、モノクロモードＣ、Ｄと進むにつれて使用しない色のポリゴンモータの回転速度を遅くし、モノクロモードＥでは使用しない色のポリゴンモータの回転を停止する。
【０１１０】
［実施の形態における効果］
以上のように、上記実施の形態では、カラーモードとモノクロモードの切替え時間を短くすることができ、使用者の利便性を高めることができる。さらに走査部の待機の方法を工夫することによって、走査部を動作させた状態で待機することに対する寿命上の影響を少なくした画像形成装置を提供することができる。
【０１１１】
なお、上述の実施の形態における処理は、ソフトウエアによって行なっても、ハードウエア回路を用いて行なってもよい。
【０１１２】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【０１１３】
このように、今回開示した上記各実施の形態はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【０１１４】
【図１】本発明の実施の形態における画像形成装置の断面図である。
【図２】プリントヘッド１００Ｙと感光体２００Ｙの構成を示す図である。
【図３】図１の画像形成装置の一部断面図である。
【図４】図１の画像形成装置の一部断面図である。
【図５】画像形成装置の備える操作パネルの基本画面を示す図である。
【図６】画像形成装置の構成を示すブロック図である。
【図７】画像形成部のモードに対応した各部材の制御方法を示す表（テーブル）である。
【図８】画像形成装置の基本動作を示すフローチャートである。
【図９】図８の印字モード判断処理（Ｓ１０９）のフローチャートである。
【図１０】図８の走査部制御処理（Ｓ１１１）のフローチャートである。
【図１１】図８の露光部制御処理（Ｓ１１３）のフローチャートである。
【図１２】図８の印字モード判断処理（Ｓ１０９）の第１の変形例を示すフローチャートである。
【図１３】図８の印字モード判断処理（Ｓ１０９）の第２の変形例を示すフローチャートである。
【図１４】図１の画像形成装置の変形例を示す図である。
【図１５】画像形成部のモードに対応した各部材の制御方法を示す表（テーブル）である。
【図１６】図１の画像形成装置の変形例を示す図である。
【図１７】画像形成部のモードに対応した各部材の制御方法を示す表（テーブル）である。
【符号の説明】
【０１１５】
１００Ｙ，１００Ｍ，１００Ｃ，１００Ｋ  プリントヘッド、１０３ａ，１０３ｂ  レーザーダイオード、１０３Ｙ，１０３Ｍ，１０３Ｃ，１０３Ｋ  レーザーダイオード、１０５Ｙ，１０５Ｍ，１０５Ｃ，１０５Ｋ  ポリゴンモータ、２００Ｙ，２００Ｍ，２００Ｃ，２００Ｋ  感光体、２０１Ｙ，２０１Ｍ，２０１Ｃ，２０１Ｋ  現像器、３００  中間転写ベルト。
【図１】
2007010858.tif 000003
【図２】
2007010858.tif 000004
【図３】
2007010858.tif 000005
【図４】
2007010858.tif 000006
【図５】
2007010858.tif 000007
【図６】
2007010858.tif 000008
【図７】
2007010858.tif 000009
【図８】
2007010858.tif 000010
【図９】
2007010858.tif 000011
【図１０】
2007010858.tif 000012
【図１１】
2007010858.tif 000013
【図１２】
2007010858.tif 000014
【図１３】
2007010858.tif 000015
【図１４】
2007010858.tif 000016
【図１５】
2007010858.tif 000017
【図１６】
2007010858.tif 000018
【図１７】
2007010858.tif 000019